(57)【要約】    【課題】  測定開始前に設定条件の確認を容易にできるようにする。    【解決手段】  測定条件保持部８に分析部２の動作を規定する測定条件を変更可能に保持しておき、確認項目保持部１０には表示させる確認項目を変更可能に保持しておく。表示制御部１２は測定開始前に、確認項目保持部１０に保持されている項目に該当する測定条件を測定条件保持部８から読み出して表示装置４に表示させる。操作者が表示された測定条件が正しいことを確認した後に測定動作が開始される。【選択図】      図１
2005055290.tif 000002
【特許請求の範囲】
【請求項１】
試料の分析を行なう分析部と、
表示装置と、
前記分析部による分析動作を制御するとともに前記表示装置による表示を制御する分析制御部とを備え、
前記分析制御部は前記分析部の動作を規定する測定条件を変更可能に保持している測定条件保持部と、表示させる確認項目を変更可能に保持している確認項目保持部と、前記確認項目保持部に保持されている項目に該当する測定条件を前記測定条件保持部から読み出して前記表示装置に表示させる表示制御部とを備えている分析装置。
【請求項２】
前記表示制御部は測定開始前に前記分析部から出力される信号に伴って前記確認項目保持部に保持されている項目に該当する測定条件を前記測定条件保持部から読み出して前記表示装置に表示させる請求項１に記載の分析装置。
【請求項３】
前記分析制御部は前記確認項目保持部に保持されている項目に該当する測定条件を前記表示装置に表示させた後、測定開始の入力を待って分析部の測定動作を開始させる請求項１又は２に記載の分析装置。
【発明の詳細な説明】
【技術分野】
【０００１】
本発明は分光光度計、液体クロマトグラフ、ガスクロマトグラフ、電気泳動装置、質量分析装置などの分析装置全般に関し、特に測定条件を設定して分析を行なう分析装置に関するものである。
【背景技術】
【０００２】
分析装置を使った分析測定では、測定前に種々の測定条件を設定する必要がある。設定される測定条件の数は複数であることが普通であり、かなり多数にのぼることもある。測定条件は1つでも設定を誤ると正しい測定結果を得ることができないので、誤った測定条件で測定をしてしまうと、再度測定条件を設定しなおして測定をやり直さなければならない。そのため膨大な時間が無駄となる。
【０００３】
そのような測定条件の設定誤りをなくす1つの方法として、測定条件を入力する際、測定条件の全ての項目を入力画面に表示するのではなく、ユーザにとって必要な項目のみを選択して表示できるようにすることにより、ユーザにとって操作性と利便性を高めたものが提案されている（特許文献1参照。）。
【０００４】
しかしながら、その提案されている方法は測定条件を入力する場面において入力を容易にすることはできるものの、その入力設定した測定条件が正しいかどうかを測定開始前に確認することはできない。
【０００５】
そこで、今1つの対策は、測定開始前に、設定された測定条件を表示し、操作者が確認できるようにすることが考えられる。しかし、その場合、表示される画面は予め定められた項目であり、誤りかどうかを確認できる項目はそれぞれの装置により定められたものに固定されていると考えられる。
【特許文献１】特開２００２−２２８６１１号公報
【発明の開示】
【発明が解決しようとする課題】
【０００６】
測定開始前に設定条件を表示して確認するようにした装置では、確認する項目が多くて見難く、確認に時間がかかるし、また項目が多いことによって見間違えたりする虞がある。もし確認用の画面に表示する項目を予め少なく設定しておくとすれば、今度は必要な項目が表示されずに設定誤りがそのまま見過ごされてしまう虞が出てくる。
そこで、本発明は測定開始前に設定条件の確認をできるようにするとともに、その確認作業を容易にすることを目的とするものである。
【課題を解決するための手段】
【０００７】
測定条件の設定とその入力の誤りについて検討した結果、設定誤りが起こる項目は、分析の種類に依存していることが分かった。その結果、分析の種類によって、あるいはユーザによって個別に確認画面への表示項目を選択できるようにすることにより、確認画面を見やすくし、設定誤りを見過ごさないようにすることができるとの知見を得た。
【０００８】
すなわち、本発明の分析装置は、図1に示されるように、試料の分析を行なう分析部２と、表示装置４と、分析部２による分析動作を制御するとともに表示装置４による表示を制御する分析制御部６とを備えたものであり、分析制御部６は分析部２の動作を規定する測定条件を変更可能に保持している測定条件保持部８と、表示させる確認項目を変更可能に保持している確認項目保持部１０と、確認項目保持部１０に保持されている項目に該当する測定条件を測定条件保持部８から読み出して表示装置４に表示させる表示制御部１２とを備えている。１４は測定条件保持部８に設定する条件を入力したり変更したり、また確認項目保持部１０に測定開始前に確認するための項目を設定したり変更したりするための入力装置である。
【０００９】
表示制御部１２は測定開始前に分析部２から出力される信号に伴って確認項目保持部１０に保持されている項目に該当する測定条件を測定条件保持部８から読み出して表示装置４に表示させるものであることが好ましい。
分析制御部６は確認項目保持部１０に保持されている項目に該当する測定条件を表示装置４に表示させた後、測定開始の入力を待って分析部２の測定動作を開始させるものであることが好ましい。
【発明の効果】
【００１０】
本発明では確認項目保持部１０にユーザが測定直前に確認したい項目のみを選択して設定しておけば、表示装置４の確認画面にはその設定した項目のみが表示されるので、設定した測定条件の誤りを容易に見つけることができ、誤った測定条件で測定を行なう誤りを防ぐことができる。
またその結果、設定した測定条件の確認に長い時間を要することがなくなるので、分析測定における操作者の負担が軽減される。
【００１１】
表示装置における確認画面の表示は、常時表示する必要はなく、分析部２から出力される信号に伴って表示装置４に表示を行なうようにすれば、この確認のための表示により表示装置４が占有される時間が測定開始前に限定され、表示装置４における他の用途のための表示に支障を及ぼさなくなる。
表示装置４に確認項目を表示させた後、操作者が測定開始を入力するのを待って分析部２の測定を開始させるようにすれば、誤った設定条件で測定動作が開始されるのをより有効に防ぐことができる。
【発明を実施するための最良の形態】
【００１２】
図1は本発明を概略的に表わしたものであるが、分析部２としては分光光度計をはじめ、種々の分析装置の分析部が該当する。分析制御部６はそれらの分析装置に備えられた制御装置であることもあるし、又はパーソナルコンピュータなどの外部コンピュータであることもあり、分析部２の動作を制御したり分析部２の測定結果を取り込んで処理するものである。入力装置１４はキーボードやパネルスイッチなどであり、動作の開始を指示するほか、分析制御部６に測定条件を設定したり変更したり、また確認項目を設定したり変更したりするためのものである。
【００１３】
表示装置４は液晶表示装置やＣＲＴ（陰極線管）などであり、分析装置に備え付けられたものやパーソナルコンピュータに接続された表示装置である。表示装置４は分析制御部６により制御され、設定された測定条件を全て表示したり、測定開始前に確認項目として設定されたものだけを確認のため表示したり、分析部が得た測定データを表示したりする。表示装置４の表示内容は、分析制御部６からの指令により適宜切り替えて表示される。
【００１４】
測定条件の一例を示すと、例えば分光光度計で積分球を用いた反射測定を行なう場合、測定条件として全反射と拡散反射を切り替えて測定が行なわれるが、その全反射と拡散反射の設定条件を間違えることがよく起こる。そのため、測定直前に全反射と拡散反射の条件設定の確認画面だけでも表示されれば、そのような誤りを簡単に見つけることができる。
【００１５】
次に、この実施例の動作について図２から図４を参照して説明する。
図２のフローチャートにおいて、分析装置を起動し、測定条件を設定する。ここまでは通常これまでの分析装置についても共通して行なっている動作であり、その機能はすでに備わっているものである。この実施例においては、次に「条件事前確認画面」が表示される。操作者はその画面で測定開始前に確認をしたい条件を選択する。その「条件事前確認画面」は、例えば図３に示されるようなものであり、選択する条件にカーソルでチェックマークを付けることによって操作者が確認しようとする項目が選択される。
【００１６】
次に、操作者が「測定」のボタンを押すと、先に「条件事前確認画面」で選択された項目に該当する測定条件を確認するための「確認画面」が表示される。「確認画面」は、例えば図４に示されるようなものであり、設定された分析条件のみが、例えば適当な表現で表示され、それが正しいかどうかを操作者が確認する画面である。
【００１７】
そこで、もし、誤りがあれば「Ｎｏ」のボタンを押すことによって測定条件の設定のステップに戻り、測定条件を修正する。「条件事前確認画面」は先に選択された項目が保持されているので、変更がなければ「測定」ボタンを押すことによって再度図４の「確認画面」が表示される。
「確認画面」で測定条件の設定が正しいことを確認し、操作者が「Ｙｅｓ」のボタンを押すことによって、分析部２が測定動作を開始する。
【産業上の利用可能性】
【００１８】
本発明は、分光光度計をはじめ、種々の分析装置において設定した測定条件を確認するために利用することができる。
【図面の簡単な説明】
【００１９】
【図１】本発明を概略的に示すブロックズである。
【図２】一実施例の動作を示すフローチャート図である。
【図３】同実施例における「条件事前確認画面」の一例を示す図である。
【図４】同実施例における「確認画面」の一例を示す図である。
【符号の説明】
【００２０】
２      分析部
４      表示装置
６      分析制御部
８      測定条件保持部
１０      確認項目保持部
１２      表示制御部
１４      入力装置
【図１】
2005055290.tif 000003
【図２】
2005055290.tif 000004
【図３】
2005055290.tif 000005
【図４】
2005055290.tif 000006